(57)【要約】【課題】部屋の狭い空間、車のトランク等の狭い場所にも、トイレ用具らしくなく容易に保管することができ、さらに、使用時に水を必要とせず、簡単に使用することができ、また使用後の処理を快適にできる携帯用トイレを提供することを課題とする。【解決手段】収納箱１、２および収納箱１に収納される円筒形の筒３から構成され、筒３の最上部に、開閉式で馬蹄形の便座６と円形の固定リング７を設け、収納箱１の内側の底部に受け皿を設けて、ビニール袋８の上端部を固定リング７と筒３の上縁部とで挟み、ビニール袋８の底部を受け皿で受けて、ビニール袋８を強くねじる構造とし、排泄物を目にすることなく、臭いを遮断し、収納する貯蔵空間を形成する携帯用トイレ１３とする。【選択図】  図４
2004337267.tif 000002
【特許請求の範囲】
【請求項１】
円筒状の筒と、この筒を収納する収納箱とを有し、
前記筒に、便座と固定リングとを配置する
ことを特徴とする携帯用トイレ。
【請求項２】
請求項１に記載の携帯用トイレにおいて、
前記収納箱は、各々の面が共に接触する２以上の凹状の箱からなる
ことを特徴とする携帯用トイレ。
【請求項３】
請求項１又は２のいずれかに記載の携帯用トイレにおいて、
前記収納箱は、使用時には、高さ調節のための台座として使用する
ことを特徴とする携帯用トイレ。
【請求項４】
請求項１ないし３のいずれかに記載の携帯用トイレにおいて、
使用していないときは、筒が収納箱に収納され、
使用するときは、筒を収納箱から取り出す
ことを特徴とする携帯用トイレ。
【請求項５】
請求項１ないし４のいずれかに記載の携帯用トイレにおいて、
最内側の収納箱の底部にビニール袋の底を受ける受け皿を備え、
この受け皿が回転し、
前記固定リングと前記筒の上縁部との間で固定されたビニール袋の上端部と底部との間にねじれを生じさせる
ことを特徴とする携帯用トイレ。
【発明の詳細な説明】
【０００１】
【発明の属する技術分野】
本発明は、災害時、病人介護時又はキャンプ時に使用する携帯用トイレに関する、さらに詳細には、普段は部屋の狭い空間、車のトランク等の狭いところに保管しておき、病人介護時、災害時又はキャンピング時に容易に取り出して、水を使用することなく使用することができる携帯用トイレに関するものである。
【０００２】
【従来の技術】
現在は、生活様式の発展によりほとんどの家庭、事業所のトイレは水洗式に変わっている。しかし、予測できない大震災等の緊急時には、これまでライフラインが大きな被害を受けている。ライフラインの中で、上下水道に被害が及んだ場合ほとんどの水洗式トイレは使用不可能になることが予想され、さらに、大震災等の被災地では、被害を免れた数少ないトイレに、並んで順番を待つことになる。
災害時の対策として、食料、水、薬品等を準備しておくほかに、人間の生理現象に関しても準備しておく必要がある。これは、また、疫病等の蔓延を防止するためにも必要である。また、病人、高齢者等の中には独力でトイレに行き用を足すことが困難な人がいる。これらの人達は、ベッドの近くで用を足すことが必要になる。
【０００３】
したがって、災害時、病人介護時のための携帯用トイレとして、種々のものが提案されている。例えば、特許文献１では、折り畳み状態で保管され使用時に組み立てて使用するものであり、台座箱と排泄物を収容する便槽箱と、台座箱の上に搭載される便座箱とを具備する携帯用トイレが提案されている。これにより一定の貯留能力を有し、使用時の組立を容易にし、使用後の回収を容易に、かつ衛生的に行うことができるものである。また、特許文献２では、分離可能に形成した支柱と、組立時に接続する支柱の接続端部が側同士を繋ぐ連繋体を備える携帯用トイレが提案されている。これにより容易に設置でき、非使用時には効率よく収納できるものである。また、特許文献３では、ダンボール等を素材として、略楕円形を短軸で二分して左右側壁と庁軸方向の両端を各所定長さの直線を底辺とする折り目を介して左右側壁と連接する底面板を設け、これを折り込んで構成される組立式携帯用トイレが提案されている。これにより、コンパクトに収納でき、使用時に簡単に組み立てることができ、使用後は使い捨て処分がしやすいものである。
【０００４】
【特許文献１】
特開平１１−５６６７９号公報
【特許文献２】
特開平１１−９３４３４号公報
【特許文献３】
特開平１１−８９７５０号公報
【０００５】
【発明が解決しようとする課題】
しかしながら、さらに狭い場所に保管ができ、また、耐久性があり、使用に際して簡便な携帯用トイレが求められている。
そこで、本発明は、部屋の狭い空間、車のトランク等の狭い場所にも、トイレ用具らしくなく容易に保管することができ、さらに、使用時に水を必要とせず、簡単に使用することができ、また使用者、介護者が使用後の処理の際、排泄物を目にすることなく、臭いを遮断できる携帯用トイレを提供することを課題とする。
【０００６】
【課題を解決するための手段】
上記課題を達成するために、請求項１に記載の発明は、円筒状の筒と、この筒を収納する収納箱とを有し、前記筒に、便座と固定リングを配置することを特徴とする携帯用トイレである。
請求項２に記載の発明は、請求項１に記載の携帯用トイレにおいて、前記収納箱は、各々の面が共に接触する２以上の凹状の箱からなることを特徴とする携帯用トイレである。
請求項３に記載の発明は、請求項１又は２のいずれかに記載の携帯用トイレにおいて、前記収納箱は、使用時には、高さ調節のための台座として使用することを特徴とする携帯用トイレである。
請求項４に記載の発明は、請求項１ないし３のいずれかに記載の携帯用トイレにおいて、使用していないときは、筒が収納箱に収納され、使用するときは、筒を収納箱から取り出すことを特徴とする携帯用トイレである。
請求項５に記載の発明は、請求項１ないし４のいずれかに記載の携帯用トイレにおいて、最内側の収納箱の底部にビニール袋の底を受ける受け皿を備え、この受け皿が回転し、前記固定リングと前記筒の上縁部との間で固定されたビニール袋の上端部と底部との間にねじれを生じさせることを特徴とする携帯用トイレである。
【０００７】
【発明の実施の形態】
以下、本発明の実施の形態を図面に基づいて詳細に説明する。
図１は、本発明の一実施形態である携帯用トイレ１３を示す外観図である。
本実施例は、円筒状の筒３と、これを収納する収納箱１、２からなっている。収納箱１、２は、使用している状態では、収納箱１と収納箱２とを分離して、収納箱２の上に収納箱１を置くことで、台座を形成することができると同時に高さの調整も可能である。
筒３には、便座６が設けられている。この便座６は、開閉式になっており、使用時には人が座るように筒３の縁に載せる。非使用時に又は男性のみが使用する場合には、上げて置くようにする。形状は、円形、楕円形等であって中央があいていればよい。とくに、馬蹄形であることが好ましい。
【０００８】
また、筒３には、固定リング７が設けられている。この固定リング７は、開閉式になっており、使用時には、ビニール袋の上端部を固定リング７と筒３の上縁とで挟み固定する。固定リング７の形状は、筒３の形状に合わせて円形にする。この固定リング７は、構造としてはリング状である。さらに、本発明の携帯用トイレ１３は、収納箱１は四角の形状にすることで、円形の筒３を利用することで、四隅に、ビニール袋、紙おむつ、テッシュペーパー等の収納部を設けるものであってもよい。
【０００９】
また、本発明の携帯用トイレ１３は、使用していないときは、収納箱２が収納箱１を収容し、さらに筒を収納箱１の内部に収納し、収納箱用蓋５を閉じることで図２に示すように完全に１個の箱として保管することができる。
図３は、筒３を収納箱１から取り出して、使用可能な状態を示している。
図４は、本発明の携帯用トイレ１３にビニール袋８を配置した状態を示す図である。使用時には、筒３及び収納箱１によって形成される空間の中に固定リング７を枠としてビニール袋８を広げて使用するものである。
ビニール袋８は、図４に示すように、その上端部を固定リング７と筒３の上縁とで挟み固定する。また、ビニール袋８の底部は、収納箱１の底部に備えられた一方向にのみ回転する受け皿によって受け止められる。
図５は、収納箱１と筒３と受け皿９との配置を示す断面図である。筒３を収納箱１より取り出した状態では、筒３の側面部の凸部１０が収納箱１の内側上部の凹部１１にはめ込まれて筒３が落ちるのを防止する。筒３を収納する場合は、筒３を回転させることにより筒３の凸部１０を収納箱１の内側上部の凹部１１から外すことにより容易に落下させ、収納することができる。
【００１０】
受け皿９は、収納箱１の底部に備えられた円盤の上に配置されている。円盤は収納箱１の外から図１に示すリング１６を引っ張ることにより回転駆動できるような機構を有している。円盤は収納箱と一体になった中央部の固定軸１７とその回りの回転体１８とからなり、受け皿９は固定軸１７からのびた軸に回転可能なように配置される。受け皿９の外側の底部と円盤の回転体１８とには、円盤の回転体の回転を、リング１６を引っ張る回数を増すことにより何回でも一方向にのみ受け皿へ伝えることができる伝達手段が備えられている。
【００１１】
また、受け皿９の内側に十字の壁１４を設けることにより、用を足した後、ビニール袋の中の排泄物がこの壁にあたることで、受け皿９が回転したときに、筒３の上縁部に固定したビニール袋の上端部と受け皿９に接したビニール袋の底部との間にねじれを形成し、排泄物をビニール袋のねじれた部分の下部に封じ込めることが可能になる。また、ビニール袋が強くねじれることで、用を足した後、使用者又は介護者は、排泄物を目にすることなく、臭いを遮断させた状態で廃棄することが可能になる。
【００１２】
また、この他に、収納箱２には取っ手１５を付けることで、さらに携帯性を向上させることができる。
また、収納箱１、２と筒３等の部材を、高分子樹脂で製造することが好ましい。高分子樹脂は、金属と比較して比重が小さく軽量にすることができ、さらに、長い間使用せず保管するときにさびが発生することがない。高分子樹脂としては、ＰＳ樹脂、ＡＢＳ樹脂、ポリアミド樹脂、ポリカーボネイト樹脂等が好ましい。強度が高く、人が座っても壊れないからである。
【００１３】
また、災害時、キャンプ等において、屋外で使用するときのために、図６に示すような簡易テントを設置することも可能である。本実施例では、この簡易テントは、図７（ａ）に示すような骨組を組み立て、テントで覆うようにしたものである。この骨組は棒２１、２２を棒２４より引き出し、棒２４の中央部で棒２４に垂直になるように起こし、棒２３の先端部を棒２２に固定することにより棒２１、２２を安定させる。この棒２１、２２、２３、２４からなる骨組を２組用意し、地面に安定させるために、２組の棒２４を渡し板２７で固定し、棒２１の先端部を渡し棒２５で固定する。渡し棒２５の中央部にはテントをつるための取り付け穴２６が用意され、図７（ｂ）に示すテント取り付け棒２８の中央部のフック２９を取り付け穴２６に引っ掛けることにより、テントの設置が可能となる。また、図７（ａ）に示す骨組を組み立てなくとも、木の枝等からひもを吊してそのひもにフック２９を取り付けてテントを設置することも可能である。
【００１４】
【発明の効果】
以上説明したように、本発明の携帯用トイレでは、部屋の狭い空間、車のトランク等の狭いところに保管しておき、病人介護時、災害時又はキャンピング時に容易に取り出して、水を使用することなく使用することができる。
また、本発明の携帯用トイレでは、使用していないときは収納箱に収納されているためにトイレ用具らしくなく、また、携帯性に優れており、さらに、使用するときは簡単に取り出して使用できる。
また、本発明の携帯用トイレでは、使用後、筒によって形成される貯蔵空間に敷いたビニール袋を強くねじることにより、使用者又は介護者は排泄物を目にすることなく、臭いを遮断させた状態で容易に廃棄することができる。
【図面の簡単な説明】
【図１】本発明の一実施形態である携帯用トイレを示す外観図である。
【図２】本発明の携帯トイレを保管するときの形状を示す図である。
【図３】本発明の携帯トイレの使用可能な状態を示す図である。
【図４】本発明の携帯トイレにビニール袋を配置した状態を示す図である。
【図５】収納箱と筒と受け皿との配置を示す断面図である。
【図６】簡易テントを示す図である。
【図７】簡易テントの骨組を示す図である。
【符号の説明】
１    収納箱
２    収納箱
３    筒
５    収納箱用蓋
６    便座
７    固定リング
８    ビニール袋
９    受け皿
１０  筒の凸部
１１  収納箱の凹部
１３  携帯トイレ
１４  壁
１５  取っ手
１６  リング
１７  固定軸
１８  回転体
２１  棒
２２  棒
２３  棒
２４  棒
２５  渡し棒
２６  取り付け穴
２７  渡し板
２８  テント取り付け棒
２９  フック
【図１】
2004337267.tif 000003
【図２】
2004337267.tif 000004
【図３】
2004337267.tif 000005
【図４】
2004337267.tif 000006
【図５】
2004337267.tif 000007
【図６】
2004337267.tif 000008
【図７】
2004337267.tif 000009